(57)【要約】【課題】従来の番組予約方法では、既に記録した番組を次回以降も録画する場合でも、予約する番組の開始日・開始時刻・終了時刻やチャンネルなどの予約情報をユーザが手動で設定する必要があり、操作が煩雑であるという課題があった。【解決手段】記録再生手段１４に記録された番組を再生または選択中に、機器操作手段１２を操作することで、予約情報生成手段１６においてその番組と同じ開始時刻・終了時刻・チャンネルの次回以降分の予約情報が生成される。この予約情報にもとづいて、制御手段１３により録画予約が設定される。【選択図】  図１
2004260409.tif 000002
【特許請求の範囲】
【請求項１】
ユーザからの入力を受け付ける機器操作手段と、
視聴対象となっている番組の放送日時情報を記憶する番組情報記憶手段と、
前記機器操作手段から操作がなされると、前記番組情報記憶手段に記憶された放送日時情報に基づいて録画予約情報を生成し、この録画予約情報に基づいて録画予約を行う制御手段とを備えたことを特徴とする予約管理装置。
【請求項２】
録画予約情報は、録画日と録画時間とを含み、
前記録画日は視聴対象となっている番組の放送日の翌日もしくは翌週の日が設定され、
前記録画時間は、前記番組の放送時間と同一時間帯が設定されることを特徴とする予約管理装置。
【請求項３】
番組情報記憶手段は、視聴対象となっている番組の番組名をさらに記憶し、
制御手段は、録画予約した番組の番組名として前記番組名を設定することを特徴とする請求項１または２いずれかに記載の予約管理装置。
【請求項４】
ユーザによる操作がなされたか否かを検知する第１のステップと、
前記第１のステップでユーザによる操作を検知すると、視聴対象となっている番組の放送日時情報に基づいて、前記放送番組の放送日の翌日もしくは翌週であって、前記番組の放送時間と同一時間帯で録画予約を行う第２のステップとを有することを特徴とする予約管理方法。
【請求項５】
請求項４記載のステップをコンピュータに実行させることを特徴とするコンピュータ読み取り可能な記録媒体
【請求項６】
コンピュータに請求項４記載のステップを実行させるためのプログラム。
【発明の詳細な説明】
【０００１】
【発明の属する技術分野】
本発明は、配信された番組を録画する録画装置に関し、特に録画予約を行う予約管理装置に関するものである。
【０００２】
【従来の技術】
従来、ＶＴＲ等の録画装置に対する録画予約においては、予約する番組の開始日・開始時刻・終了時刻やチャンネルなどの予約情報をユーザが手動で設定する必要があり、操作が煩雑であるという課題があった。
【０００３】
操作の容易化のため、放送予定されている番組の曜日・開始時刻・終了時刻・チャンネルからなる番組枠情報を記憶し、現在選局されている番組の放送時間内に同じ番組を翌週または翌日に記録するような予約操作が行われた場合に、翌日または翌週で対応する番組についての番組情報を検索して一時記憶し、その一時記憶した番組枠情報での曜日・開始時刻になったときに予約された番組を記録する番組受信方法が提案されている（例えば、特許文献１参照）。このような録画予約方法は、現在視聴している番組の次回の放送を予約する方法として有用であり、番組枠情報を用いることで容易な操作性を実現している。
【０００４】
【特許文献１】
特開平９−２１４８７０号公報
【０００５】
【発明が解決しようとする課題】
しかしながら従来の録画予約方法は、放送が予定されている番組の番組枠情報を用いることを前提とした予約方法であるので、番組枠情報を伴わない放送形態に対して適用することは困難であった。
【０００６】
本発明は、上記課題に鑑み、放送が予定されている番組の番組枠情報を有さない放送形態であっても、現在視聴対象となっている番組の次回以降の番組を容易な操作で予約設定することを目的とする。
【０００７】
【課題を解決するための手段】
上記目的を達成するために本発明は、ユーザからの操作を受け付ける機器操作手段と、視聴対象となっている番組の放送日時情報を記憶する番組情報記憶手段と、機器操作手段から操作がなされると、番組情報記憶手段に記憶された放送日時情報に基づいて録画予約情報を生成し、この録画予約情報に基づいて録画予約を行う制御手段とを備えている。
【０００８】
この構成によって、記録再生装置に記録した番組の再生時や選択時に、所定の予約設定操作を行うことで、記録した番組の開始曜日・開始時刻・終了時刻または番組の長さ・チャンネル・番組名などの情報に基づき、その番組と同じ開始時刻・終了時刻・チャンネルの予約情報を作成し、次回以降の分の予約を設定することができる。
【０００９】
【発明の実施の形態】
本発明の請求項１の発明は、ユーザからの操作を受け付ける機器操作手段と、視聴対象となっている番組の放送日時情報を記憶する番組情報記憶手段と、機器操作手段から操作がなされると、番組情報記憶手段に記憶された放送日時情報に基づいて録画予約情報を生成し、この録画予約情報に基づいて録画予約を行う制御手段とを備えている。
【００１０】
これにより、記録再生装置に記録した番組の再生時や選択時に、ユーザが機器操作装置を操作する事で、視聴対象となっている番組の放送日時に基づいて次回の番組の録画予約を行うことができる。
【００１１】
また本発明の請求項２の発明は、録画予約情報は、録画日と録画時間とを含み、録画日は視聴対象となっている番組の放送日の翌日もしくは翌週の日として設定され、録画時間は、前記番組の放送時間と同一時間帯として設定される。
【００１２】
これにより、毎日同時間帯に放送されたり、毎週同じ曜日の同時間帯に放送される連続番組を簡単な操作で予約録画することができる。
【００１３】
また本発明の請求項３の発明は、番組情報記憶手段は、視聴対象となっている番組の番組名をさらに記憶し、制御手段は、録画予約した番組の番組名として前記番組名を設定する。
【００１４】
これにより、予約実行により作成される番組に自動的に番組名を付加することができ、利便性を高める効果がある。
【００１５】
以下、本発明を図面と共に詳細に説明する。
【００１６】
（実施の形態１）
図１は本発明の実施の形態１における予約管理装置を表すブロック図である。図１において、１１は放送を受信する受信手段、１２は再生や録画の操作を行う機器操作手段、１３は再生や録画の制御を行う制御手段、１４は記録再生を行う記録再生手段、１５は記録した番組の番組名や録画時間等の情報を記録する番組情報記憶手段、１６は録画予約の情報を生成する予約情報生成手段である。
【００１７】
ここで機器操作手段１２は、再生または選択している番組の次回以降分の録画予約を行うための操作を行う入力手段であり、本体に取り付けられたものであってもよいし、リモートコントローラなどであってもよい。またこの機器操作手段１２は、例えば毎週予約設定用ボタンと毎日予約設定用ボタンが設けられているようなものであってもよく、ユーザが毎週予約設定用ボタンを操作すると毎週所定の時間に録画予約され、毎日予約設定用ボタンを操作すると毎日所定の時間に録画予約される。またこの画面上に表示される仮想的な操作装置、例えばグラフィカルユーザーインターフェイス（ＧＵＩ）機能により表示されるボタンなどでも良い。また予約設定用ボタンが一つ設けられており、ユーザが予約設定用ボタンを操作すると画面上に、翌週予約、翌日予約、毎週予約、毎日予約等のメニューが表示され、ユーザは表示されたメニューを選択することにより所望の予約を行うことができるとしても良い。
【００１８】
制御装置１３は、予約管理装置全体の制御を行う装置で、情報を記憶する機能も持つ。記録再生装置に対して番組の記録や再生に関する指示を行ったり、再生している番組の番組情報や予約情報を記憶したり、機器操作手段１２からの入力に対する処理を行う。
【００１９】
記録再生手段１４は、制御手段１３からの指示に基づいて番組を記録や再生する機能を持つ。また、番組の開始日時や番組の長さ、チャンネルやタイトルなど、記録した番組に関連する番組情報を記録や再生する機能も持つ。
【００２０】
番組情報記憶手段１５は、視聴対象となっている番組の放送日時を記憶し、番組名や出演者情報等、番組に関連する情報を記録するとしても良い。
【００２１】
次に、本発明の実施の形態１における制御手段１３の動作についてフローチャートを用いて説明する。
【００２２】
図２のＳ２１において、制御手段１３は、機器操作手段１２が操作されたかどうかの情報を取得する。機器操作手段１２が操作された場合は、Ｓ２２へ進む。
【００２３】
Ｓ２２では、現在番組を再生中かどうかの判定を行う。番組が再生中であればＳ２３へ進む。一方番組が再生中でない場合はＳ２４に進み、画面上に表示された記録済み番組一覧表の上で、ある番組を選択しているか否かを判定する。番組を選択していると判定した場合は、Ｓ２５へと進む。
【００２４】
Ｓ２３では、現在再生中の番組を視聴対象の番組として扱い、番組情報記憶手段１５に記憶された番組情報が読み出される。番組情報記憶手段１５には、例えば、記録開始年月日、記録開始曜日、記録開始時分秒、記録時間の長さ、記録画質、記録チャンネルなどの情報が記憶されており、これらの情報が読み出され、予約情報生成手段１６により予約情報が作成される。予約情報は、予約録画の開始時刻、終了時刻、チャンネルなどの情報からなり、毎週予約や毎日予約の場合は、何曜日に予約実行するかの情報かの情報も含まれる。予約終了時刻は、記録開始時分と記録時間の長さから求まる。このとき作成する予約情報のうち、開始時刻・終了時刻・チャンネルは、現在視聴対象となっている番組と同じ値とする。
【００２５】
なお元の番組の開始時刻および終了時刻が不明な場合は、機器操作手段１２が操作された時刻を基準として、予約開始時刻をその基準時刻の所定時間前に設定し、予約終了時刻をその基準時刻の所定時間後に設定しても良い。所定時間はあらかじめ定められた時間としても良いし、都度ユーザが入力することとしても良い。
【００２６】
Ｓ２５では、記録済み番組一覧表の上で選択されている番組を視聴対象の番組として扱い、番組情報記憶手段１５に記憶された番組情報が読み出される。ここで番組情報記憶手段１５には、視聴対象の番組の番組情報が記憶されており、これらの情報に基づいて、予約情報生成手段１６において予約情報が作成される。
【００２７】
ここで予約情報は、録画予約の開始時間、終了時間、チャンネル情報が含まれるとしたが、番組情報として番組名が含まれていた場合は、番組名を予約情報に含ませてもよい。予約情報に番組名を含むことで、予約状況や記録状況を一覧表示した際に番組名を表示することができ、ユーザにとってわかりやすい一覧表示を行うことができるという利点がある。
【００２８】
また、番組情報に番組名が含まれていない場合には、あらかじめ設定されたデフォルトの番組名を入力することとしても良い。
【００２９】
このように、番組情報に含まれる番組名もしくはデフォルトの番組名を利用することにより、ユーザが番組名を手入力することなく予約情報に番組名を含ませることができる。
【００３０】
このような流れにより、現在再生または選択している番組について、容易な操作で次回以降分の番組の予約を実現することができる。
【００３１】
なお、本発明はコンピュータ等を用いてソフトウェアとしても実現できる。
【００３２】
（実施の形態２）
本実施の形態では、番組枠情報を伴わない放送形態であっても、記録メディアやインターネット等の手段で番組枠情報を入手できる場合について説明する。
【００３３】
図３は本発明の実施の形態２における予約管理装置のブロック図である。また、図４は本発明の実施の形態２における制御装置１２の動作フローチャートを表す。
【００３４】
図３において、図１と同じ符号を有するものは同じ機能を有するので詳細な説明は省略する。３１は番組枠情報取得手段で、放送予定されている番組の放送日・放送曜日・開始時刻・終了時刻・チャンネル・番組名などの情報からなる番組枠情報を取得する機能を持ち、例えば一週間先もしくは二週間先までの番組枠情報を取得することができる。３２は、番組枠情報を一時的に記憶する番組枠情報記憶手段である。ここで番組枠情報は、例えばメモリカード等に記録されたものをロードすることによって入手することとしてもよいし、インターネット等を経由してダウンロードしてもよい。
【００３５】
次に、本発明の実施の形態２における制御装置１２の動作についてフローチャートを用いて説明する。
【００３６】
図４において図２と同じ符号を有するものは同じ動作を有するので詳細な説明は省略する。
【００３７】
ユーザからの操作を検知すると（Ｓ２１）、Ｓ４１では、視聴対象となっている番組の、放送曜日、開始時刻、終了時刻、チャンネル等の情報が番組情報記憶手段１５から読み出される。次にＳ４２において、番組枠情報記憶手段３２に記憶された番組枠情報の中から、視聴対象となっている番組の次回放送分の番組が検索される。ここでは番組情報に含まれる開始時刻、終了時刻、チャンネルが一致する番組を番組枠情報の中から検索し、一致する番組が存在した場合は、Ｓ４３へ進み、一致する番組が存在しない場合はＳ４４に進む。
【００３８】
Ｓ４３では、番組枠情報から次回放送分の番組の開始時刻、終了時刻、番組名を取得し、予約情報が作成される。一方Ｓ４４では、視聴対象となっている番組の番組情報から予約情報が作成される。これは、実施の形態１のＳ２２からＳ２５までのステップに相当する。
【００３９】
なお、本実施の形態では番組枠情報を伴わない放送形態を前提として説明を行ったが、番組枠情報を伴う放送形態においても本発明を実施することができる。
【００４０】
また、本発明はコンピュータ等を用いてソフトウェアとしても実現できる。
【００４１】
【発明の効果】
以上のように本発明により、現在再生または選択している番組について、容易な操作で次回以降分の予約設定を実現する効果が得られる。
【図面の簡単な説明】
【図１】本発明の実施の形態１における予約管理装置のブロック図
【図２】本発明の実施の形態１における制御手段１３の動作を示すフローチャート
【図３】本発明の実施の形態２における予約管理装置のブロック図
【図４】本発明の実施の形態２における制御手段１３の動作を示すフローチャート
【符号の説明】
１１  受信手段
１２  機器操作手段
１３  制御手段
１４  記録再生手段
１５  番組情報記憶手段
１６  予約情報生成手段
【図１】
2004260409.tif 000003
【図２】
2004260409.tif 000004
【図３】
2004260409.tif 000005
【図４】
2004260409.tif 000006